(57)【要約】【課題】包装箱の表示壁を一見して、内部空間に残っている薬剤束の数を認識できる手段を提供する。【解決手段】包装箱１０は、同じ剤型の複数個の薬剤が、単位個数毎に小分けされた複数のピロー包装品２０を収納する。ピロー包装品２０が収容される内部空間１６を区画する外壁のうち、外面が一方向から視認可能な表示壁３３と、表示壁３３を構成しており、少なくとも周縁６２の一部が表示壁３３から離されることによって表示壁３３に開口６１を形成可能とする開口片６０と、を備えている。開口片６０の数は、収容されるピロー包装品２０の数より１少ない数である。【選択図】図３
2020183283.tif 000002
【特許請求の範囲】
【請求項１】
同じ剤型の複数個の薬剤が、単位個数毎に小分けされた複数の薬剤束を収納する包装箱であって、
上記薬剤束が収容される内部空間を区画する外壁のうち、外面が一方向から視認可能な表示壁と、
上記表示壁を構成しており、少なくとも周縁の一部が上記表示壁から離されることによって上記表示壁に開口を形成可能とする片と、を備えており、
上記片の数は、収容される上記薬剤束の数より１少ない数以上である包装箱。
【請求項２】
複数の上記片は、上記表示壁において列をなして配置されている請求項１に記載の包装箱。
【請求項３】
上記片の周縁は、上記表示壁から切り離し可能な第１切断線と、上記表示壁に対して折り曲げ可能な折り曲げ線と、を有する請求項１又は２に記載の包装箱。
【請求項４】
複数の上記片の各折り曲げ線は、同一の方向に沿って延びている請求項３に記載の包装箱。
【請求項５】
上記表示壁の内側に位置して当該表示壁によって覆われた内壁をさらに有しており、
上記内壁は、上記表示壁の上記開口によって外部に露出される露出領域に、上記薬剤束が使用されたことを認識可能な使用済表記がされている請求項１から４のいずれかに記載の包装箱。
【請求項６】
上記表示壁は、上記片に隣接して設けられた隣接開口を有する請求項５に記載の包装箱。
【請求項７】
上記片の端面であって、上記隣接開口に臨む端面は、凹の湾曲面である請求項６に記載の包装箱。
【請求項８】
上記片は、上記隣接開口と上記表示壁の端との間に位置しており、
上記片は、上記隣接開口側の端から上記表示壁の端にそれぞれ向かって延びる一対の第１切断線を有する請求項６または７に記載の包装箱。
【請求項９】
上記片の外面に、又は上記表示壁の外面であって上記片の周囲に、上記内部空間に収容される上記薬剤束の個数に応じた数を認識可能な残表記がされている請求項１から８のいずれかに記載の包装箱。
【請求項１０】
上記表示壁は、上記表示壁から切り離し可能な第２切断線によって囲まれた薬剤表示部を更に備えており、
上記薬剤表示部の外面には、上記薬剤に関する薬剤表記がされている請求項１から９のいずれかに記載の包装箱。
【請求項１１】
上記包装箱は、上下方向及び前後方向の各寸法より左右方向の寸法が短い直方体であって、 
上記表示壁の外面は、上記上下方向及び上記左右方向に沿って拡がる２面のうちの１つである請求項１から１０のいずれかに記載の包装箱。
【請求項１２】
上記包装箱は、上記外壁のうち上記上下方向に沿って延びる４つの上記外壁を含む角筒形状の胴部と、
上記胴部において上方へ向いて開口する上開口の周縁のうち上記４つの外壁の一つから延出して、上記上開口を封止可能な外フラップと、を備える請求項１１に記載の包装箱。
【請求項１３】
上記上開口の周縁のうち上記外フラップが延びる外壁と隣り合う外壁から延出された内フラップを更に備えており、
上記内フラップの外面には、開封済みであることを認識可能な開封表記がされている請求項１２に記載の包装箱。
【請求項１４】
上記開封表記の周縁の一部は、上記内フラップから切り離し可能な第４切断線である請求項１３に記載の包装箱。
【発明の詳細な説明】
【技術分野】
【０００１】
本発明は、薬剤を収納するための包装箱において、残数の管理に適した包装箱に関する。
【背景技術】
【０００２】
従来より、錠剤やカプセル剤などの薬剤が収容される包装箱が知られている。この包装箱は、紙製のシートが六面体に形成されてなる。
【先行技術文献】
【特許文献】
【０００３】
【特許文献１】実用新案登録第３２１６５５５号公報
【発明の概要】
【発明が解決しようとする課題】
【０００４】
例えば、錠剤は複数錠が１枚のＰＴＰシートの複数のポケットにそれぞれ収容される。そして、複数枚のＰＴＰシートが収容袋に収容されて、一単位の薬剤束となる。そして、複数個の薬剤束が１つの包装箱に収容される。使用に際して、包装箱が開封されて、１つの薬剤束が包装箱から取り出されて、所定の収容位置に収容される。残りの薬剤束は、包装箱に収容された状態で棚などに置かれる。
【０００５】
薬剤の在庫管理などにおいて、棚に置かれた包装箱に収容されている残りの薬剤束の数が容易に把握できることが望まれている。例えば、包装箱の外面やフラップの外面などに、残りの薬剤束の個数をペンなどで書き込み、包装箱から薬剤束を取り出す毎に、記載した残りの薬剤束の個数を修正して記載し直す作業は面倒である。また、包装箱の外面に残りの個数や取り消し線などが書き込まれて、一見して理解しづらい。また、外面に比べて比較的面積の小さいフラップに書き込んだりする作業も面倒であり、また、見づらい。一方、フラップの面積が大きければ、フラップが起立させるためのスペースが包装箱の周囲に必要となり、包装箱を収納するために要する空間が広くなる。
【０００６】
本発明は、前述された事情に鑑みてなされたものであり、その目的は、包装箱における薬剤束の残数を容易に管理できる手段を提供することにある。
【課題を解決するための手段】
【０００７】
(1)  本発明に係る包装箱は、同じ剤型の複数個の薬剤が、単位個数毎に小分けされた複数の薬剤束を収納する。上記薬剤束が収容される内部空間を区画する外壁のうち、外面が一方向から視認可能な表示壁と、上記表示壁を構成しており、少なくとも周縁の一部が上記表示壁から離されることによって上記表示壁に開口を形成可能とする片と、を備えている。上記片の数は、収容される上記薬剤束の数より１少ない数以上である。
【０００８】
包装箱から薬剤束が取り出される毎に、片が表示壁から離されることによって、取り出した薬剤束と同数の開口が表示壁に形成される。これにより、包装箱の表示壁を一見して、内部空間に残っている薬剤束の数を認識できる。
【０００９】
(2)  好ましくは、複数の上記片は、上記表示壁において列をなして配置されている。
【００１０】
片が表示壁から離されることによって形成された開口の数を把握しやすい。
【００１１】
(3)  好ましくは、上記片の周縁は、上記表示壁から切り離し可能な第１切断線と、上記表示壁に対して折り曲げ可能な折り曲げ線と、を有する。
【００１２】
表示壁に対して片が押し込まれることによって、第１切断線に沿って片が表示壁から切り離され、且つ折り曲げ線に沿って片が表示壁に対して折り曲げられる。このとき、片は表示壁から分離しないので、片がゴミとならない。
【００１３】
(4)  好ましくは、複数の上記片の各折り曲げ線は、同一の方向に沿って延びている。
【００１４】
複数の片を表示壁に対して押し込んで折り曲げる向きが揃うので、操作性がよい。
【００１５】
(5)  好ましくは、本発明に係る包装箱は、上記表示壁の内側に位置して当該表示壁によって覆われた内壁をさらに有する。上記内壁は、上記表示壁の上記開口によって外部に露出される露出領域に、上記薬剤束が使用されたことを認識可能な使用済表記がされている。
【００１６】
作業者が開口片を捲る、或いは開口片を千切ると、「済」などの使用済表記が現れる。使用済表記は、薬剤束が使用されたことを作業者に認識させる。すなわち、本発明に係る包装箱は、開口片が捲られ、或いは千切られることにより、開口片に対応する個数の薬剤束が既に使用されていることを作業者に認識させることができる。
【００１７】
(6)  好ましくは、上記表示壁は、上記片に隣接して設けられた隣接開口を有する。
【００１８】
片に隣接して設けられた隣接開口は、片の端面を外部に露出させる。作業者は、露出する端面に指を掛けて片を手前に起こす。すなわち、隣接開口は、作業者が片を起こす動作を容易にすることができる。
【００１９】
(7)  好ましくは、上記片の端面であって、上記隣接開口に臨む端面は、凹の湾曲面である。
【００２０】
作業者が指を掛ける片の端面が、指にフィットする凹の湾曲面とされることにより、作業者が片を起こす動作がさらに容易になる。
【００２１】
(8)  好ましくは、上記片は、上記隣接開口と上記表示壁の端との間に位置する。上記片は、上記隣接開口側の端から上記表示壁の端にそれぞれ向かって延びる一対の第１切断線を有する。
【００２２】
作業者は、第１切断線を切断しつつ片を手前に起こす。すなわち、第１切断線は、作業者が片を手前に起こす作業を容易にすることができる。
【００２３】
(9)  好ましくは、上記片の外面に、又は上記表示壁の外面であって上記片の周囲に、上記内部空間に収容される上記薬剤束の個数に応じた数を認識可能な残表記がされている。
【００２４】
開口されずに表示壁の一部を構成している片の外面、又は片の周囲の表示壁の外面の残表記によって、内部空間に収容されている薬剤束の個数を容易に把握することができる。
【００２５】
(10)  好ましくは、上記表示壁は、上記表示壁から切り離し可能な第２切断線によって囲まれた薬剤表示部を更に備えており、上記薬剤表示部の外面には、上記薬剤に関する薬剤表記がされている。
【００２６】
薬剤表示部を表示壁から切り離すことによって、取り出した薬剤の収納箇所において薬剤を示す薬剤表記として使用できる。
【００２７】
(11)  好ましくは、上記包装箱は、上下方向及び前後方向の各寸法より左右方向の寸法が短い直方体である。上記表示壁の外面は、上記上下方向及び上記左右方向に沿って拡がる２面のうちの１つである。
【００２８】
面積が最も小さい表示壁の外面が作業者へ向くように、複数の包装箱が棚に置かれることによって、棚に置かれた複数の包装箱の表示壁を、多く作業者に向けることができる。
【００２９】
(12)  好ましくは、上記包装箱は、上記外壁のうち上記上下方向に沿って延びる４つの上記外壁を含む角筒形状の胴部と、上記胴部において上方へ向いて開口する上開口の周縁のうち上記４つの外壁の一つから延出して、上記上開口を封止可能な外フラップと、を備える。
【００３０】
表示壁が作業者に向くように包装箱が棚に置かれたときに、上開口が上方に向くので、内部空間に収納されている薬剤が意図せず包装箱から外部空間に出るおそれがない。
【００３１】
(13)  好ましくは、上記上開口の周縁のうち上記外フラップが延びる外壁と隣り合う外壁から縁から延出された内フラップを更に備えており、上記内フラップの外面には、開封済みであることを認識可能な開封表記がされている。
【００３２】
開封された後の包装箱において、上開口を封止する外フラップの外側に内フラップが位置されることによって、内フラップの開封表記によって開封済みの包装箱であることが認識できる。
【００３３】
(14)  好ましくは、上記開封表記の周縁の一部は、上記内フラップから切り離し可能な第４切断線である。
【００３４】
内フラップから切り離された開封表記は、内フラップよりも小さいので、包装箱の収納の妨げとなりにくい。
【発明の効果】
【００３５】
本発明によれば、包装箱の表示壁を一見して、内部空間に残っている薬剤束の数を認識できる。
【図面の簡単な説明】
【００３６】
【図１】図１は、本発明の実施形態にかかる包装箱１０を示す斜視図である。
【図２】図２は、包装箱１０が開封された状態を示す斜視図である。
【図３】図３は、包装箱１０が再び封止された状態を示す斜視図である。
【図４】図４は、包装箱１０の展開図である。
【図５】図５は、薬剤表示部７０が切り離され、再び封止された状態を示す包装箱１０の斜視図である。
【図６】図６は、ピロー包装品２０に封入されるＰＴＰシート２１を示す斜視図である。
【図７】図７は、変形例１にかかる包装箱１００を示す斜視図である。
【図８】図８は、包装箱１００が開封された状態を示す斜視図である。
【図９】図９は、包装箱１００の展開図である。
【図１０】図１０は、変形例２の部分拡大斜視図であって、図１０（Ａ）は、開口片２６０、２６５を切り離す態様が示された図であり、図１０（Ｂ）は、当開口片２６０、２６５が切り離されたことによって形成された開口２６１、２６６が示された図である。
【図１１】図１１は、変形例３にかかる包装箱３００を示す斜視図である。
【図１２】図１２は、包装箱４００の展開図である。
【図１３】図１３は、変形例４にかかる包装箱５００を示す斜視図である。
【図１４】図１４は、変形例４にかかる包装箱５００を示す斜視図であって、開口片６０が千切り取られた後の状態を示す図である。
【図１５】図１５は、変形例４にかかる包装箱５００を示す斜視図であって、開口片６０が捲られた後の状態を示す図である。
【発明を実施するための形態】
【００３７】
以下、本発明の好ましい実施形態を説明する。なお、本実施形態は本発明の一実施態様にすぎず、本発明の要旨を変更しない範囲で実施態様を変更できることは言うまでもない。また、以下の説明においては、包装箱１０が立てられた状態（図１の状態）を基準として上下方向７が定義され、表示壁３３が設けられている側を手前側（前面）として前後方向８が定義され、包装箱１０を手前側（前面）から視て左右方向９が定義される。
【００３８】
図２に示されるように、包装箱１０は、内部空間１６に、薬剤のピロー包装品２０が５つ収容されるものである。１つのピロー包装品２０には、例えば、２列×５行の１０錠の錠剤２２が封入されたＰＴＰシート２１（図６参照）１０枚が積載された状態で収容される。なお、各ピロー包装品２０に収容された錠剤２２の数は同じである。ピロー包装品２０は、薬剤束の一例である。錠剤２２は、剤型の一例である。
【００３９】
なお、包装箱１０に収容され得るピロー包装品２０の個数や、１つのピロー包装品２０に収容される錠剤２２の数、１つのＰＴＰシート２１が収容する錠剤２２の数は、適宜変更されてもよい。また、錠剤２２は、薬剤の剤型の一例に過ぎず、薬剤の剤型は、袋の封入された粉体や、容器に封入された液体など、種々の剤型が採用され得る。
【００４０】
包装箱１０は、上下方向７及び前後方向８の各寸法より左右方向９の寸法が短い直方体である。包装箱１０は、前後方向８の寸法より上下方向７の寸法が短い。包装箱１０は、例えば、上下方向７の寸法が１２５ｍｍ、前後方向８の寸法が１５５ｍｍ、左右方向９の寸法が４７ｍｍである。
【００４１】
図１、図２及び図４に示されるように、包装箱１０は、胴部１１と、外フラップ１２と、内フラップ１３と、底壁１４と、内フラップ１５と、を有する。
【００４２】
［胴部１１］
図１から図３に示されるように、胴部１１は、内部空間１６を前後方向８及び左右方向９において区画する。内部空間１６は、上下方向７及び左右方向９に沿った断面において、上下方向７及び前後方向８の各寸法より左右方向９の寸法が短い。胴部１１は、四角形の筒形状である。胴部１１は、前後方向８の寸法より上下方向７の寸法が短い。
【００４３】
胴部１１は、上下方向７及び前後方向８に沿って拡がる２つの外壁３１、３２と、上下方向７及び左右方向９に沿って拡がる表示壁３３、内壁３７及び外壁３４と、を有する。胴部１１は、内部空間１６を上方に開放する開口３５と、内部空間１６を下方に開放する開口３６（不図示）と、を有する。各開口３５，３６は、四角形である。開口３５は、上開口の一例である。
【００４４】
外壁３１、３２は、左右方向９に対向する。外壁３１と外壁３２とは、上下方向７及び前後方向８の寸法が同じである。外壁３１及び外壁３２の外面の面積は、図１に示される開封前の状態において、同じである。
【００４５】
表示壁３３と内壁３７とは前後方向８に密着して重なる。内壁３７と外壁３４とは、前後方向８に対向する。表示壁３３と外壁３４とは、上下方向７及び左右方向９の寸法が同じである。また、表示壁３３及び外壁３４の外面の面積は、図１に示される開封前の状態において、同じである。表示壁３３の外面５４は、上下方向７及び左右方向９に沿って拡がる。外面５４は、一方向、例えば前方から視認可能である。外面５４は、表示壁の外面の一例である。
【００４６】
図１から図４に示されるように、外壁３１は、外壁３２の左方に位置し、開封片４１と、切取片４２と、を有する。
【００４７】
開封片４１は、外フラップ１２の一端を外壁３１から離して、外フラップ１２を起こして開封する際に、作業者によって押し込まれる。開封片４１は、外壁３１の前後方向８における中央の上端に位置する。開封片４１は、外壁３１の外面において略四角形状であり、人の親指の先程の面積を有する。開封片４１は、周縁が切断線４３で形成されている。開封片４１の上端の周縁は、後述される第１基部１２Ａと繋がっている。切断線４３は、いわゆるミシン目であり、線形状の切り込みが間欠して線状に連続したものである。なお、以降の各切断線においても同様である。切断線４３は、開封片４１の下端において前後方向８に沿って２重に形成されており、２重のうちの下側の切り込みがアンカー形状である。
【００４８】
切取片４２は、後述される薬剤表示部７０が表示壁３３から切り取られる際に押し込まれる。切取片４２は、外壁３１の上下方向７の中央の前端に位置する。切取片４２は、外壁３１の外面において後方へ弧を描く半円形状であり、人の親指の先程の面積を有する。切取片４２は、外壁３１の外面内側の周縁が切断線４４で形成されている。切取片４２の右端の周縁は、切断線４５を介して薬剤表示部７０と繋がっている。
【００４９】
外壁３２は、外壁３１の右方に位置し、図４に示されるように、開封片４６を有する。開封片４６は、底壁１４の一端を外壁３２から離すようにして上下方向７に沿うように下げて開封する際に押し込まれる。開封片４６は、外壁３２の前後方向８における中央の下端に位置する。開封片４６は、外壁３２の外面において上方へ弧を描く略半円形状であり、人の親指の先程の面積を有する。開封片４６は、外壁３２の外面内の周縁が切断線４７で形成されている。開封片４６の下端の周縁は、後述される第３基部１４Ａと繋がっている。
【００５０】
図１から図４に示されるように、表示壁３３及び内壁３７は、外壁３４の前方に位置する。表示壁３３の上下方向７及び左右方向９における面積は、図１に示される開封前の状態において、内壁３７の上下方向７及び左右方向９における面積より広い。
【００５１】
図４及び図５に示されるように、内壁３７は、包装箱１０の内面の一部を構成する。内壁３７は、外壁３２の前端から延出する。内壁３７は、外壁３２から外壁３１に向かって左方へ延びる。内壁３７は、上下方向７の寸法が外壁３２の寸法と等しく、左右方向９の寸法が包装箱１０の左右方向９の寸法より短い。内壁３７は、平板形状であり、上下方向７の中央の左端において右方へ弧を描く略半円形状の切り欠き５３を有する。
【００５２】
図１から図４に示されるように、表示壁３３は、包装箱１０の外壁を構成する。表示壁３３は、外壁３１の前端から延出する。表示壁３３は、外壁３１から外壁３２に向かって右方へ延びる。表示壁３３は、上下方向７の寸法が外壁３１の寸法と等しく、左右方向９の寸法が包装箱１０の左右方向９の寸法と等しい。表示壁３３は、平板形状である。表示壁３３は、内壁３７の前に重なり、内壁３７と接着剤等により接着される。
【００５３】
［開口片６０］
表示壁３３は、開口片６０を有する。開口片６０は、包装箱１０の内部空間１６へ押し込まれることにより、表示壁３３に開口６１（図３参照）を形成する。開口片６０は、片の一例である。
【００５４】
表示壁３３には、４つの開口片６０が位置する。４つの開口片６０は、表示壁３３の左右方向９の中央より右側において上下方向７に沿って１列に等間隔で並んでいる。各開口片６０は、表示壁３３の一部を構成する。開口片６０の数は、内部空間１６に収容されるピロー包装品２０の数より１つ少ない。各開口片６０は、外面５４において周縁６２が左側２つの角が丸められた略四角形状であり、人の親指の先程の面積を有する。各開口片６０は、上下方向７及び左右方向９の寸法が概ね同じである。
【００５５】
開口片６０は、表示壁３３から切り離し可能な切断線６２Ａと、表示壁３３に対して折り曲げ可能な折り曲げ線６２Ｂと、を有する。切断線６２Ａは、周縁６２の上辺、左辺及び下辺である。折り曲げ線６２Ｂは、周縁６２の右辺である。４つの開口片６０の各折り曲げ線６２Ｂは、上下方向７に沿って延び、一直線上に並んでいる。なお、切断線６２Ａは、第１切断線の一例である。
【００５６】
開口６１は、開口片６０が表示壁３３から切断線６２Ａに沿って切断され、折り曲げ線６２Ｂに沿って内部空間１６へ折り曲げられることによって、表示壁３３に形成される。開口６１は、後述の開口６６と連通し、連通した開口は、胴部１１を外部空間から内部空間１６まで貫通する。
【００５７】
［開口片６５］
内壁３７は、開口片６５を有する。開口片６５は、開口片６０に伴って包装箱１０の内部空間１６へ押し込まれることにより、内壁３７に開口６６（図３参照）を形成する。
【００５８】
内壁３７には、４つの開口片６５が位置する。４つの開口片６５は、内壁３７の左右方向９の中央より右側において上下方向７に沿って１列に等間隔で並んでおり、上下方向７及び左右方向９の位置が４つの開口片６０とそれぞれ一致する。各開口片６５は、内壁３７の一部を構成する。開口片６５の数は、開口片６０の数と同じである。各開口片６５は、上下方向７及び左右方向９において周縁６７が左側２つの角が丸められた略四角形状であり、人の親指の先程の面積を有する。各開口片６５は、上下方向７及び左右方向９の寸法が概ね同じである。
【００５９】
開口片６５は、内壁３７から切り離し可能な切断線６７Ａと、内壁３７に対して折り曲げ可能な折り曲げ線６７Ｂと、を有する。切断線６７Ａは、周縁６７の上辺、左辺及び下辺であり、上下方向７及び左右方向９の位置が切断線６２Ａと一致する。折り曲げ線６７Ｂは、周縁６７の右辺であり、上下方向７及び左右方向９の位置が折り曲げ線６２Ｂと一致する。４つの開口片６５の各折り曲げ線６７Ｂは、上下方向７に沿って延び、一直線上に並んでいる。
【００６０】
開口６６は、開口片６５が内壁３７から切断線６７Ａに沿って切断され、折り曲げ線６７Ｂに沿って内部空間１６へ折り曲げられることによって、内壁３７に形成される。
【００６１】
［残数表示５５］
表示壁３３は、残数表示５５を有する。残数表示５５は、残表記の一例である。残数表示５５は、作業者がピロー包装品２０等の残数を認識可能にするためのものである。残数表示５５は、各開口片６０の外面と、最も下に位置する開口片６０の下方と、に印字されている。残数表示５５は、最も上から下へ順に、算用数字で「５」、「４」、「３」、「２」、「１」と印字されている。
【００６２】
［薬剤表示部７０］
表示壁３３は、残数表示５５の左方に、薬剤表示部７０を有する。薬剤表示部７０の外面には、包装箱１０に収容される薬剤に関する情報、例えば、含量、貯法、規制区分、製造番号、使用期限、製品名、製造者等、内容量、バーコード等のいずれか若しくは全てが表示されている。
【００６３】
表示壁３３には、２つの薬剤表示部７０が位置する。２つの薬剤表示部７０は、上下方向７に沿って１列に隙間なく配置されている。各薬剤表示部７０は、表示壁３３の外面において、左右方向９の中央から左端までの範囲を占めている。各薬剤表示部７０は、２つ合せた周縁の角が丸められた略四角形状であり、例えば、左右方向９に沿った寸法が約３０ｍｍ、上下方向７に沿った寸法が約７５ｍｍである。各薬剤表示部７０は、上下方向７及び左右方向９の寸法が同じである。
【００６４】
薬剤表示部７０は、周縁及び２つの薬剤表示部７０の間が切断線４５で形成されている。薬剤表示部７０の周縁のうち、上下方向７に沿って延びる左辺が表示壁３３の左端と重複する。薬剤表示部７０は、上下方向７に延びる左端の一部が切断線４５を介して切取片４２と繋がっている。なお、切断線４５は、第２切断線の一例である。
【００６５】
薬剤表示部７０の一方の外面には、例えば、表示枠７１が表記されており、表示枠７１内に含量、貯法、規制区分、製造番号、使用期限が表記されている。薬剤表示部７０の他方の外面には、例えば、表示枠７１が表記されずに、製品名、製造者等、内容量、バーコードが表記されている。
【００６６】
［外フラップ１２］
外フラップ１２は、胴部１１に対して姿勢変化可能である。外フラップ１２は、胴部１１の上方の開口３５を封止する閉姿勢（図１参照）と、開口３５を露出させる開姿勢（図２参照）に姿勢変化する。外フラップ１２は、閉姿勢において、内部空間１６を区画する。
【００６７】
図２及び図４に示されるように、外フラップ１２は、第１基部１２Ａと、差込部１２Ｂと、第２基部１２Ｃと、を有する。
【００６８】
第１基部１２Ａは、閉姿勢の外フラップ１２において、内部空間１６を区画する。第１基部１２Ａは、開口３５の周縁から延出している。第１基部１２Ａは、閉姿勢において、外壁３２から外壁３１に向かって左方へ延びる。第１基部１２Ａは、閉姿勢における前後方向８の寸法が開口３５の前後方向８の寸法と等しく、左右方向９の寸法が開口３５の左右方向９の寸法と等しい。第１基部１２Ａは、平板形状である。第１基部１２Ａは、外壁３２から延出する向き（左向き）の端部において、折り曲げ可能な折り曲げ線７５を介して、差込部１２Ｂと繋がっている。
【００６９】
差込部１２Ｂは、閉姿勢の外フラップ１２において、内部空間１６に差し込まれる。差込部１２Ｂは、閉姿勢における前後方向８の寸法が第１基部１２Ａと等しく、上下方向７の寸法が外壁３１より短い。
【００７０】
折り曲げ線７５は、差込部１２Ｂが第１基部１２Ａに対して、第１基部１２Ａの内面となる方へ、すなわち山折りに折り曲げ可能とする線である。折り曲げ線７５は、図４に示されるように、第１基部１２Ａと差込部１２Ｂとの境界に位置する。
【００７１】
第２基部１２Ｃは、閉姿勢の外フラップ１２において、包装箱１０の外面の一部を構成する。第２基部１２Ｃは、切り離し可能な切断線７６を介して、開口３５の周縁から延出する。第２基部１２Ｃは、閉姿勢において、外壁３１から外壁３２に向かって右方へ延びる。第２基部１２Ｃは、閉姿勢における前後方向８の寸法が開口３５の前後方向８の寸法と同程度であり、左右方向９の寸法が開口３５の左右方向９の寸法より短い。第２基部１２Ｃは、閉姿勢において、第１基部１２Ａの上に重なり、第１基部１２Ａと接着剤等により接着される。
【００７２】
切断線７６は、第２基部１２Ｃが外壁３１から切り離し可能とする線である。切断線７６は、図４に示されるように、外壁３１と第２基部１２Ｃとの境界に位置する。
【００７３】
［内フラップ１３］
内フラップ１３は、閉姿勢の外フラップ１２において、外フラップより内部空間１６側に位置する。内フラップ１３は、閉姿勢の外フラップ１２が、開口３５の周縁より内部空間１６側へ移動しないように外フラップ１２を支持する。
【００７４】
図２及び図４に示されるように、内フラップ１３は、開口３５の周縁のうち表示壁３３から延出する内フラップ１３Ａと、開口３５の周縁のうち外壁３４から延出する内フラップ１３Ｂと、を有する。
【００７５】
内フラップ１３Ａは、外フラップ１２が閉姿勢であるとき、外フラップ１２の前端部を支持する。内フラップ１３Ａは、閉姿勢において、表示壁３３から外壁３４へ向かって後方へ延びる。内フラップ１３Ａは、閉姿勢における左右方向の寸法が開口３５の左右方向９の寸法と等しく、前後方向８の寸法が開口３５の前後方向８の寸法の半分以下である。
【００７６】
内フラップ１３Ａは、開封表示部８０を有する。開封表示部８０は、閉姿勢の外フラップ１２の外側に露出されることによって、包装箱１０が開封済みであることを認識可能とするためのものである。
【００７７】
開封表示部８０は、内フラップ１３Ａの左右方向９の中央の下端に位置する。開封表示部８０は、内フラップ１３Ａの一部を構成する。開封表示部８０は、内フラップ１３Ａの外面において略四角形状であり、例えば、閉姿勢において、左右方向９に沿った寸法が約２５ｍｍ、前後方向８に沿った寸法が約１５ｍｍである。
【００７８】
開封表示部８０において、内フラップ１３Ａの外面に「開封済み」と印字されている。開封表示部８０の周縁のうち、図４に示されるように、開口３５の周縁以外が切断線８１で形成され、開口３５の周縁と重なる部分が折り曲げ線８２で形成される。薬剤表示部７０は、切断線８１で形成される周縁が内フラップ１３Ａから切り離し可能である。なお、印字された「開封済み」の文字は、開封表記の一例である。切断線８１は、第４切断線の一例である。
【００７９】
内フラップ１３Ｂは、閉姿勢の外フラップ１２の後端部を支持する。内フラップ１３Ｂは、閉姿勢において、外壁３４から表示壁３３へ向かって後方へ延びる。内フラップ１３Ｂは、閉姿勢における左右方向の寸法が開口３５の左右方向９の寸法と等しく、前後方向８の寸法が開口３５の前後方向８の寸法の半分以下である。
【００８０】
［底壁１４］
底壁１４は、胴部１１の下方の開口３６を封止する。底壁１４は、内部空間１６を上下方向７において区画する。底壁１４は、図４に示されるように、第３基部１４Ａと、第４基部１４Ｂと、を有する。
【００８１】
第３基部１４Ａは、包装箱１０の内面の一部を構成する。第３基部１４Ａは、胴部１１の下方の開口３６の周縁のうち外壁３２から延出する。第３基部１４Ａは、外壁３２から外壁３１に向かって左方へ延びる。第３基部１４Ａは、前後方向８の寸法が当該開口の前後方向８の寸法と等しく、左右方向９の寸法が当該開口の左右方向９の寸法と等しい。第３基部１４Ａは、平板形状である。
【００８２】
第４基部１４Ｂは、包装箱１０の外面の一部を構成する。第４基部１４Ｂは、胴部１１の下方の開口３６の周縁のうち外壁３１から延出する。第４基部１４Ｂは、外壁３１から外壁３２に向かって右方へ延びる。第４基部１４Ｂは、前後方向８の寸法が当該開口の前後方向８の寸法と同程度であり、左右方向９の寸法が開口３５の左右方向９の寸法より短い。第４基部１４Ｂは、第３基部１４Ａの下に重なり、第３基部１４Ａと接着剤等により接着される。
【００８３】
［内フラップ１５］
内フラップ１５は、底壁１４より内部空間１６側に位置し、底壁１４が胴部１１の下方の開口の周縁より内部空間１６側へ移動しないように底壁１４を支持する。内フラップ１５は、当該開口の周縁のうち内壁３７から延出する内フラップ１５Ａと、表示壁３３から延出する内フラップ１５Ｂと、外壁３４から延出する内フラップ１５Ｃと、を有する。内フラップ１５Ａ及び内フラップ１５Ａは、底壁１４の前端部を支持する。内フラップ１５Ａ及び内フラップ１５Ｂは、内壁３７及び表示壁３３から外壁３４へ向かって後方へ延びる。内フラップ１５Ｂは、左右方向９の寸法が当該開口の左右方向９の寸法と等しく、前後方向８の寸法が当該開口の前後方向８の寸法の半分以下である。内フラップ１５Ａは、左右方向９及び前後方向８の寸法が内フラップ１５Ｂより短い。内フラップ１５Ｃは、底壁１４の後端部を支持する。内フラップ１５Ｃは、外壁３４から表示壁３３へ向かって後方へ延びる。内フラップ１５Ｃは、左右方向９の寸法が当該開口の左右方向９の寸法と等しく、前後方向８の寸法が当該開口の前後方向８の寸法の半分以下である。
【００８４】
［包装箱１０の組み立て］
包装箱１０は、図４に示されるシート３０が後述のように折られて接着されることにより形成される。シート３０は、例えば紙や樹脂などからなる薄手の平らなものであるが、所望の形状に打ち抜かれたり折り曲げられたりすることができるものであって、形状を維持できる剛性及び衝撃を適度に緩衝できる弾性を有するものであれば、特に素材は限定されない。
【００８５】
シート３０は、図４に示される、内壁３７と外壁３２との境界に位置する折り曲げ線８５、外壁３２と外壁３４との境界に位置する折り曲げ線８６、外壁３４と外壁３１との境界に位置する折り曲げ線８７、及び外壁３１と表示壁３３との境界に位置する折り曲げ線８８において、内壁３７が内側として表示壁３３と重なるように折り曲げられる。シート３０は、内壁３７の外面と表示壁３３の内面とが接着剤等で接着され、胴部１１が形成される。この際、内壁３７に設けられた開口片６５の切断線６７Ａと表示壁３３に設けられた開口片６０の切断線６２Ａとの位置が合うように接着される。
【００８６】
シート３０は、内壁３７と内フラップ１５Ａ及び表示壁３３と内フラップ１５Ｂとの境界に位置する折り曲げ線８９及び折り曲げ線９０において、内フラップ１５Ａ及び内フラップ１５Ｂが内部空間１６側へ折り曲げられる。シート３０は、外壁３４と内フラップ１５Ｃとの境界に位置する折り曲げ線９１において、内フラップ１５Ｃが内部空間１６側へ折り曲げられる。
【００８７】
シート３０は、外壁３２と第３基部１４Ａとの境界に位置する折り曲げ線９２において、内フラップ１５を内側として第３基部１４Ａが内部空間１６側へ折り曲げられる。シート３０は、外壁３１と第４基部１４Ｂとの境界に位置する折り曲げ線９３において、第４基部１４Ｂが第３基部１４Ａと重なるように折り曲げられる。シート３０は、第３基部１４Ａの外面と第４基部１４Ｂの内面とが接着剤等で接着され、胴部１１の下方の開口３６が封止される。
【００８８】
シート３０は、内フラップ１３と表示壁３３、外壁３４との境界に位置する折り曲げ線８２及び折り曲げ線９４において、内フラップ１３が内部空間１６側へ折り曲げられる。
【００８９】
シート３０は、第１基部１２Ａと外壁３２及び差込部１２Ｂと第１基部１２Ａとの各境界に位置する折り曲げ線９５及び折り曲げ線７５において、第１基部１２Ａ及び差込部１２Ｂが内面側へ折り曲げられる。シート３０は、第２基部１２Ｃと外壁３１との境界に位置する切断線７６において、第２基部１２Ｃが第１基部１２Ａと重なるように折り曲げられる。シート３０は、第１基部１２Ａの外面と第２基部１２Ｃの内面とが接着剤等で接着され、胴部１１の上方の開口３５が封止される。
【００９０】
［包装箱１０の使用例］
５つのピロー包装品２０が収容された包装箱１０は、図１に示されるように、例えば底壁１４が棚などの載置面に当接する状態で保管される。包装箱１０は、他の薬剤用の包装箱と共に棚などに載置された包装箱の上方に積み重ねるようにして、又は左右に並ぶようにして載置される。包装箱１０は、作業者を向く面の面積ができるだけ小さくなるように、表示壁３３の外面５４が作業者を向くように棚などに載置される。
【００９１】
包装箱１０を開封するときには、作業者は、外壁３１の一部である開封片４１を押し込み、第２基部１２Ｃを切断線７６に沿って外壁３１から切り離すようにして外フラップ１２を折り曲げ線９５に沿って起立させる。包装箱１０は、図２に示されるように、外フラップ１２の姿勢が変えられることで、胴部１１の開口３５が露出され内部空間１６が上方へ開放される。このようにして包装箱１０に収容されたピロー包装品２０が取り出し可能となる。
【００９２】
包装箱１０は、開封後、再び外フラップ１２によって開口３５が封止される前に、開封表示部８０が、切断線８１に沿って内フラップ１３Ａから切り離され上下方向７に沿って起立可能である。開封表示部８０が立ち起こされることによって、再び外フラップ１２によって開口３５が封止された後に、開封表示部８０が外フラップ１２に覆われず、「開封済み」の表記が外部から認識可能に露出される。
【００９３】
包装箱１０において、開封されて１つのピロー包装品２０が取り出された後に、作業者は、最も上に位置する、残数表示５５の「５」の印字に対応した開口片６０を内部空間１６へ押し込む。これにより、表示壁３３に１つの開口６１が形成され、残数表示５５の「５」の印字が表示壁３３の外面５４に現れない。同様に、作業者は、その後に、ピロー包装品２０を包装箱１０から取り出す毎に、開口片６０を押し込む、或いは取り出したピロー包装品２０の数に応じた数の開口片６０を押し込む。したがって、包装箱１０から取り出されたピロー包装品２０の数に応じた開口片６０が表示壁３３に対して内部空間１６側へ押し込まれ、取り出されたピロー包装品２０の数に応じた開口６１が表示壁３３に形成される。そして、最後の１つのピロー包装品２０が包装箱１０から取り出された後、包装箱１０が廃棄される。なお、開口片６５は、開口片６０が内部空間１６へ押し込まれることに伴って、内部空間１６へ押し込まれ内壁３７に開口６６が形成される。開口６１と開口６６とは、連通し、連通した開口は、外部空間から内部空間１６まで包装箱１０を貫通する。
【００９４】
[本実施形態の作用効果]
包装箱１０からピロー包装品２０が取り出される毎に、開口片６０、６５が表示壁３３及び内壁３７から離されることによって、表示壁３３及び内壁３７に取り出したピロー包装品２０と同数の外部空間と内部空間１６とを連通する開口が形成される。これにより、包装箱１０の表示壁３３を一見して、内部空間１６に残っているピロー包装品２０の数を認識できる。
【００９５】
４つの開口片６０、６５が上下方向７に沿って、等間隔で一列に並ぶため、開口片６０、６５が表示壁３３及び内壁３７から離されることによって形成された開口の数を把握しやすい。
【００９６】
表示壁３３に対して開口片６０が押し込まれることによって、切断線６２Ａに沿って開口片６０が表示壁３３から切り離され、且つ折り曲げ線６２Ｂに沿って開口片６０が表示壁３３に対して折り曲げられる。また、内壁３７に対して開口片６５が押し込まれることによって、切断線６７Ａに沿って開口片６５が内壁３７から切り離され、且つ折り曲げ線６７Ｂに沿って開口片６５が内壁３７に対して折り曲げられる。このとき、開口片６０、６５は表示壁３３及び内壁３７から分離しないので、開口片６０、６５がゴミとならない。
【００９７】
各開口片６０、６５の折り曲げ線６２Ｂ、６７Ｂが上下方向７に沿って延び、一直線に並んでいることによって、複数の開口片６０、６５を表示壁３３及び内壁３７に対して押し込んで折り曲げる向きが揃うので、操作性がよい。
【００９８】
開口されずに表示壁３３の一部を構成している開口片６０の外面の残数表示５５によって、内部空間１６に収容されているピロー包装品２０の個数を容易に把握することができる。
【００９９】
薬剤表示部７０を表示壁３３から切り離すことによって、取り出した薬剤の収納箇所において薬剤を示す薬剤表記として使用できる。
【０１００】
表示壁３３は、開口片６０が押し込まれることで表示壁３３に開口が形成され、さらに薬剤表示部７０が表示壁３３から切り離されることがある。このような場合においても、表示壁３３は、内壁３７と重ねられており、薬剤表示部７０が内壁３７には設けられていないことで、胴部１１及び包装箱１０は、形状を維持できる剛性及び衝撃を適度に緩衝できる弾性を備えることができる。
【０１０１】
面積が最も小さい表示壁３３の外面５４が作業者へ向くように、複数の包装箱１０が棚に置かれることによって、棚に置かれた複数の包装箱１０の表示壁３３を、多く作業者に向けることができる。
【０１０２】
表示壁３３が作業者に向くように包装箱１０が棚に置かれたときに、開口３５が上方に向くので、内部空間１６に収納されている薬剤が意図せず包装箱１０から外部空間に出るおそれがない。
【０１０３】
開封された後の包装箱１０において、開口３５を封止する外フラップ１２の外側に内フラップ１３Ａが位置されることによって、内フラップ１３Ａの開封表示部８０によって開封済みの包装箱１０であることが認識できる。
【０１０４】
内フラップ１３Ａから切り離された開封表示部８０は、内フラップ１３Ａよりも小さいので、包装箱１０の収納の妨げとなりにくい。
【０１０５】
［変形例１］
上記実施形態では、表示壁３３が開口片６０、残数表示５５及び薬剤表示部７０を有する例が説明された。しかしながら、表示壁３３は、さらに取出部１０１を有してもよい。変形例１では、表示壁１３３が取出部１０１をも有する包装箱１００の例について説明される。変形例に係る包装箱１００においては、５つのピロー包装品２０は、上下方向７に積まれるようにして内部空間１６に収容されている。
【０１０６】
包装箱１００は、上下方向７及び前後方向８の各寸法より左右方向９の寸法が短い直方体である。包装箱１００は、上下方向７の寸法より前後方向８の寸法が短い。包装箱１０は、例えば、上下方向７の寸法が１５５ｍｍ、前後方向８の寸法が１２５ｍｍ、左右方向９の寸法が４７ｍｍである。
【０１０７】
図７から図９に示されるように、包装箱１００の胴部１１１は、上下方向７及び前後方向８に沿って拡がる左方の外壁１３１と、上下方向７及び左右方向９に沿って拡がる前方の表示壁１３３と、表示壁１３３に重ねられる内壁１３７と、を有する。外壁１３１及び表示壁１３３は、取出部１０１を有する。
【０１０８】
取出部１０１は、内部片１０４を伴って、外壁１３１及び表示壁１３３から切り離されることで、内部空間１６に収容されたピロー包装品２０を１つ毎に取り出すことが可能な取出口１０２を形成するものである。
【０１０９】
取出部１０１は、外部片１０１Ａと、開封片１０１Ｂと、を有する。外部片１０１Ａは、開口片６０及び薬剤表示部７０より下であって、表示壁１３３の下端に位置する。外部片１０１Ａは、表示壁１３３の一部を構成する。外部片１０１Ａは、四角形状であり、左右方向９に沿った寸法が表示壁１３３の左右方向９の寸法と等しく、上下方向７に沿った寸法が表示壁１３３の上下方向７に沿った寸法の５分の１以上３分の１以下である。
【０１１０】
開封片１０１Ｂは、外部片１０１Ａ及び後述の内部片１０４を表示壁１３３及び内壁１３７から切り離す際、作業者の指等が外部片１０１Ａ及び内部片１０４を内部空間１６から外部へ押し込めるように、内部空間１６へ押し込まれるものである。開封片１０１Ｂは、外壁１３１の前端の下方において、外部片１０１Ａの上下方向７の中央において外部片１０１Ａと隣接する位置に設けられる。開封片１０１Ｂは、外部片１０１Ａと、後述の切断線１０３を介して繋がっている。
【０１１１】
取出部１０１は、周縁及び外部片１０１Ａと開封片１０１Ｂとの間が切断線１０３で形成され、上下方向７に沿って延びる左辺が表示壁１３３の左端と重複し、右辺が表示壁１３３及び内壁１３７の右端と重複し、左右方向９に沿って延びる下辺が表示壁１３３の下端と重複する。なお、切断線１０３は、第３切断線の一例である。
【０１１２】
内壁１３７は、内部片１０４を有する。内部片１０４は、外部片１０１Ａが表示壁１３３から切り離されると同時に内壁１３７から切り離されるものである。内部片１０４は、上下方向７及び左右方向９の面積が外部片１０１Ａより狭く、外部片１０１Ａの上下方向７及び左右方向９における範囲内に位置する。内部片１０４は、外部片１０１Ａと接着剤等で接着されている。
【０１１３】
[変形例１の作用効果]
取出口１０２が形成されることによって、包装箱１００の開口３５を開放せずに、ピロー包装品２０を内部空間１６から取り出すことができる。
【０１１４】
取出口１０２からピロー包装品２０が取り出された後、残りのピロー包装品２０が内部空間１６の下方に移動されると、最も上に位置する開口片６０に対応する上下方向７の位置にピロー包装品２０が存在しない。したがって、開口片６０が表示壁１３３に対して押し込みやすくなる。
【０１１５】
［変形例２］
上記実施形態では、開口片６０、６５は、内部空間１６へ押し込まれたとき、折り曲げ線６２Ｂに沿って折り曲がり表示壁３３又は内壁３７に繋がったままである例が説明された。しかしながら、開口片６０、６５は表示壁３３及び内壁３７から切り離されてもよい。変形例２では、開口片２６５が内壁２３７から折り曲げ線８５を挟んで外壁２３２までに亘って設けられた包装箱２００の例について説明される。
【０１１６】
包装箱２００は、図１０（Ａ）及び図１０（Ｂ）に示されるように、開口片２６０が設けられた表示壁２３３と、開口片２６５が設けられた内壁２３７及び外壁２３２と、を備える。
【０１１７】
図１０（Ａ）及び図１０（Ｂ）に示されるように、開口片２６０は、表示壁２３３から切り離され、開口２６１を形成するものである。開口片２６０は、周縁２６２の全てが切断線２６２Ａで形成され、周縁２６２が表示壁３３の右端まで延びることによって、全体が表示壁２３３から切り離される。
【０１１８】
開口片２６５は、内壁２３７及び外壁２３２から切り離され、開口２６６を形成するものである。開口２６１と開口２６６とは、連通し、包装箱２００を外部空間から内部空間１６まで貫通するものである。開口片２６５は、内壁２３７から折り曲げ線８５を挟んで外壁２３２までに亘って設けられる。開口片２６５は、周縁の全てが切断線２６７Ａで形成され、全体が内壁２３７及び外壁２３２から切り離される。
【０１１９】
[変形例２の作用効果]
包装箱２００は、開口片２６０が右後方に押し込まれることで表示壁２３３から切り離され、それに伴って、外壁２３２における開口片２６５が前端側から順に外壁２３２から切り離される。これにより、簡易に面積の広い開口を形成することができる。また、作業者は、開口片２６０、２６５を押し込んだ指等を戻す必要がないため操作性がよい。
【０１２０】
［変形例３］
上記実施形態では、開口６１、６６が形成されたとき、開口片６０、６５は、表示壁３３又は内壁３７に繋がったままである例が説明された。また、上記変形例２では、開口２６１、２６６が形成されたとき、開口片２６０、２６５は、表示壁２３３又は内壁２３７及び外壁２３２から切り離される例が説明された。しかしながら、包装箱１０は、開口片６０、６５が内部空間１６へ押し込まれて、開口６１、６６が形成されることが可能であると同時に、開口片６５が内壁３７から切り離されずに、開口片６０のみが表示壁３３から全体が切り離され、開口６０のみが形成されることが可能である開口片６０、６５が設けられてもよい。変形例３では、内壁３３７の開口片３６５を伴って内部空間１６へ押し込まれることも、開口片３６５を伴わず表示壁３３３から全体が切り離されることも可能な開口片３６０、３６５が設けられた包装箱３００の例について説明される。
【０１２１】
包装箱３００は、図１１に示されるように、開口片３６０が設けられた表示壁３３３と、開口片３６５が設けられた内壁３３７と、を備える。
【０１２２】
開口片３６０は、内部空間１６へ押し込まれることにより、又は表示壁３３３から切り離されることにより、開口３６１を形成するものである。開口片３６０は、周縁３６２の全てが切断線３６２Ａで形成され、周縁３６２が表示壁３３３の右端まで延びることによって、全体が表示壁３３３から切り離され得る。このとき開口３６１は、表示壁３３３の開口であって、後方は開口片３６５によって内部空間１６と画されている。
【０１２３】
開口片３６０は、左右方向９の中央より右側において上下方向７に沿って延びる折り曲げ線３６２Ｂを有する。開口片３６０は、開口片３６５を伴って、折り曲げ線３６２Ｂに沿って折れ曲がることにより内部空間１６へ押し込まれ得る。このとき開口３６１は、後述の開口３６６と連通し、連通した開口は、包装箱３００を外部空間から内部空間１６まで貫通する。
【０１２４】
開口片３６５は、内部空間１６へ押し込まれることにより、内壁３３７に開口３６６を形成するものである。  開口片３６５は、内壁３３７から切り離し可能な切断線３６７Ａ（不図示）と、内壁３３７に対して折り曲げ可能な折り曲げ線３６７Ｂと、を有する。切断線３６７Ａは、周縁３６７の上辺、左辺及び下辺であり、上下方向７及び左右方向９の位置が切断線３６２Ａの一部と一致する。折り曲げ線３６７Ｂは、周縁３６７の右辺であり、上下方向７及び左右方向９の位置が折り曲げ線３６２Ｂと一致する。
【０１２５】
開口片３６５は、使用済みに関する表示３５６を有する。表示３５６は、作業者が、露出した開口片３６５の数に応じたピロー包装品２０等の残するを認識可能にするためのものである。表示３５６は、開口片３６０が単独で表示壁３３３から切り離されることで外部へ露出する。表示３５６は、各開口片３６５の上下方向７及び左右方向９の中央に位置する。各表示３５６は、漢字で「済」と印字されている。
【０１２６】
[変形例３の作用効果]
作業者は、開口片３６０を押し込むことによっても、表示壁３３３から切り離すことによっても、包装箱３００の表示壁３３３を一見して、内部空間１６に残っているピロー包装品２０の数を認識できる。
【０１２７】
開口片３６５を内壁３３７に残し、開口片３６０を表示壁３３３から切り離した場合でも、開口片３６５の使用済みに関する表示３５６が外部へ露出するため開口３６１の数を把握しやすい。
【０１２８】
[変形例４]
上述の実施形態では、作業者によって、開口片６０が内部空間１６に押し込まれる例が説明された。本変形例では、作業者によって開口片６０が千切り取られる例が説明される。なお、以下で説明する構成以外の構成は、実施形態で説明した構成と同じである。また、実施形態で説明した構成と同一の構成には、実施形態と同一の符号が付されて説明が省略される。
【０１２９】
本変形例で説明する包装箱５００は、図１３に示されるように、開口片６０及び隣接開口９７を備えている。隣接開口９７は、開口片６０に隣接している。なお、「開口片６０に隣接する」とは、隣接開口９７が、開口片６０の端面を外部に露出させるように、開口片６０の端面に臨んで設けられることを意味する。すなわち、隣接開口９７は、作業者が開口片６０の端面に指を掛けることができるように当該端面を外部に露出させる機能を有する。図１３に示す例では、隣接開口９７は、開口片６０左側に隣接して位置しており、開口片６０の左端面を外部に露出させている。
【０１３０】
隣接開口９７の大きさは、作業者が隣接開口９７に指を入れて開口片６０の左端に指を掛けることが可能な大きさとされている。具体的には、上下方向７における隣接開口９７の長さは、上下方向７における開口片６０の長さよりも長くされている。また、左右方向９における隣接開口９７の長さは、一般的な人の指の厚みよりも長くされている。
【０１３１】
開口片６０の露出する端面であって、図１３における左端面は、凹の湾曲面である。「凹の湾曲面」とは、図１３において開口片６０を前方から見た場合に、開口片６０の内側に向かって湾曲している面を意味する。開口片６０の湾曲する左端面の曲率は、例えば、人の指先の腹に合わせた曲率とされている。すなわち、開口片６０は、人の指先にフィットして、当該指先に満遍なく当接する。
【０１３２】
開口片６０は、上述の実施形態と同様に、上下一対の切断線６２Ａを有している。一対の切断線６２Ａは、隣接開口９７に臨む側の端から表示壁３３の端３３Ａに亘ってそれぞれ設けられている。すなわち、作業者が切断線６２Ａを切断することによって、図１４に示されるように、開口片６０は、表示壁３３から千切り取られる。
【０１３３】
開口片６０は、図１３に示されるように、残数表示５５として、「５００」、「４００」、「３００」、「２００」の数字が印字されている。残数表示５５は、包装箱５００が収容する錠剤２２の個数を作業者に認識させる。開口片６０が表示壁３３から千切り取られることにより、残数表示５５は、作業者によって視認できなくなる。また、開口片６０が表示壁３３から千切り取られることにより、残数表示５５に代わり、錠剤が使用されたことを示す使用済表示９８（図１４）が作業者に視認される。
【０１３４】
詳しく説明すると、図１４に示されるように、開口片６０が表示壁３３から千切り取られることにより、開口６１が表示壁３３に形成される。形成された開口６１を通じて、表示壁３３の内側に位置する内壁３７の一部である露出領域９９が外部に露出される。露出領域９９は、使用済表示９８を有する。すなわち、開口片６０が表示壁３３から千切り取られることにより、残数表示５５に代えて、使用済表示９８が作業者に視認される。図示例では、使用済表示９８は、「済」の印字である。使用済表示９８は、使用済表記の一例である。
【０１３５】
[変形例４の作用効果]
本変形例では、開口片６０が表示壁３３から千切り取られることにより、残数表示５５に代わり、使用済表示９８が作業者によって視認される。作業者は、残数表示５５を視認することにより、錠剤２２の個数を認識し、使用済表示９８を視認することにより、錠剤２２が使用されたことを認識する。したがって、本変形例の包装箱５００は、収容する錠剤２２の残りの個数、及び錠剤２２が使用されたことを作業者に確実に認識させることができる。
【０１３６】
また、隣接開口９７によって開口片６０の端面が外部に露出されることにより、作業者が開口片６０を千切り取る動作が容易になる。
【０１３７】
また、作業者が指を掛ける開口片６０の端面が凹の湾曲面であるので、作業者の指が開口片６０の端面に満遍なく当接する。その結果、作業者が開口片６０を千切り取る動作がさらに容易になる。
【０１３８】
また、上下一対の切断線６２Ａが切断されて、開口片６０が表示壁３３から千切り取られる。すなわち、開口片６０が有する上下一対の切断線６２Ａは、作業者が開口片６０を千切り取る動作をさらに容易にすることができる。
【０１３９】
なお、本変形例では、上下一対の切断線６２Ａが表示壁３３の端３３Ａまで延びており、切断線６２Ａが切断されることにより、開口片６０が表示壁３３から千切り取られる例が説明された。しかしながら、開口片６０は、図１５に示されるように、表示壁３３から捲られてもよい。具体的には、開口片６０は、上下一対の切断線Ｎ６２Ａ及び折り曲げ線６２Ｂを有する。上下一対の切断線６２Ａは、隣接開口９７に臨む左端から表示壁３３の端３３Ａの手前まで延びている。そして、折り曲げ線６２Ｂは、表示壁３３の端３３Ａに沿って、一方の切断線６２Ａの右端から他方の先端線６２Ａの右端まで延びている。作業者は、切断線６２Ａを切断して開口片６０を捲り、折り曲げ線６２Ｂにおいて開口片６０を折り曲げる。開口片６０が捲られることにより、「５００」、「４００」、「３００」、「２００」の残数表示５５に代わり、「済」の使用済表示９８が作業者に視認される。
【０１４０】
［その他の変形例］
なお、本実施形態では、薬剤の剤型が錠剤２２であったが、これに限られず、カプセル剤、顆粒剤、坐剤、パップ剤、テープ剤、フィルム剤、注射剤、液剤、塗り薬、点眼薬等であってもよい。
【０１４１】
なお、本実施形態では、包装箱１０にピロー包装品２０が収容されたが、ピロー包装品２０の包装形態は、薬剤の剤型などに合せて、瓶、箱、帯、その他の公知の容器などに適宜変更されてもよい。
【０１４２】
なお、本実施形態において、包装箱１０は、前後方向８の寸法より上下方向７の寸法が短かったが、同じであってもよく、また上下方向７の寸法より前後方向８の寸法が短くてもよい。
【０１４３】
なお、本実施形態では、開封片４１、切取片４２、残数表示５５、薬剤表示部７０、開封表示部８０、内壁３７及び外フラップ１２の第２基部１２Ｃが設けられたが、設けられなくともよく、また、これらのうちのいくつかが設けられてもよい。
【０１４４】
なお、開口片６０は、内部空間１６に収容される薬剤束より１少ない数以上であればよく、例えば、本実施形態のようにピロー包装品２０が５つ収容される場合には、開口片６０は、５以上設けられてもよい。
【０１４５】
本実施形態では、各開口片６０の切断線６２Ａが、上下方向７に沿って延び、一直線に並ぶ例について説明されたが、切断線６２Ａは任意の方向に沿って延びてもよく、各開口片６０は一直線に並んでないくともよい。
【０１４６】
開口片６０が設けられた表示壁３３は、一方向から視認可能であればよく、平板形状でなく、凹凸や折目を有していてもよく、また、曲面であってもよい。
【０１４７】
本実施形態では、開口片６０等は、表示壁３３に設けられたが、その他の外壁３１、３２、３４や外フラップ１２のいずれかに設けられてもよい。
【０１４８】
変形例１では、取出部１０１が、表示壁１３３に設けられたが、図１２に示されるように、取出部１０１は、外フラップ１２に設けられてもよい。また、取出部１０１は、底壁１４に設けられてもよい。
【０１４９】
本実施形態では、残数表示５５において、収容されるピロー包装品２０の数に対応した数字が印字されたが、錠剤２２の数に対応した数字が印字されてもよい。また、印字される残数表示５５は、数字に限られず、例えば、「さん」、「に」、「いち」等の文字や「○○○」、「○○」、「○」等の記号であってもよい。
【０１５０】
本実施形態では、開封表示部８０の周縁の一部が内フラップ１３Ａから切り離され、外フラップ１２が開口３５を再封止した状態において、外部空間へ露出されたが、切断線８１が設けられず、内フラップ１３Ａが立ち起こされることによって、閉姿勢の外フラップ１２の外部へ露出されてもよい。
【０１５１】
変形例３では、内壁３３７に開口片３６５が設けられたが、開口片３６５が設けられず、内壁３３７に開口が形成されなくともよい。このとき、使用済みに関する表示３６５は、上下方向７及び左右方向９の位置が開口片３６０に合せられて内壁３３７に設けられてもよい。また、開口片３６０が表示壁３３３から切り離されることによって形成される開口３６１は、外部空間と内部空間１６とを連通するものではない。すなわち、本発明に係る表示壁の開口片が形成する開口は、外部空間と内部空間とを連通するものに限られず、表示壁の一部のみが欠けた態様のものをも含む。
【０１５２】
変形例３では、使用済みに関する表示３５６が開口片３６５に設けられたが、設けられなくともよい。また、表示３５６は、漢字で「済」と印字されたが、これに限られず、他の漢字であってもよく、「×」等の記号が印字されてもよい。
【０１５３】
本実施形態及び各変形例では、包装箱１０、１００、２００、３００が内壁３７、１３７、２３７、３３７を備え、それぞれ表示壁３３、１３３、２３３、３３３の後に重ねられていたが、内壁３７、１３７、２３７、３３７は設けられずともよく、表示壁３３、１３３、２３３、３３３が双方に隣接する外壁に直接繋がっているものであってもよい。
【符号の説明】
【０１５４】
７・・・上下方向
８・・・前後方向
９・・・左右方向
１０・・・包装箱
１１・・・胴部
１２・・・外フラップ
１３・・・内フラップ
１６・・・内部空間
２０・・・ピロー包装品
２２・・・錠剤（剤型の一例）
３１・・・外壁
３２・・・外壁
３３・・・表示壁
３３Ａ・・・端
３４・・・外壁
３５・・・開口（上開口の一例）
４５・・・切断線（第２切断線の一例）
５４・・・外面
５５・・・残数表示（残表記の一例）
６０・・・開口片
６１・・・開口
６２・・・周縁
６２Ａ・・・切断線（第１切断線の一例）
６２Ｂ・・・折り曲げ線
７０・・・薬剤表示部
８０・・・開封表示部（開封表記の一例）
８１・・・切断線（第４切断線の一例）
９７・・・隣接開口
９８・・・使用済表示
９９・・・露出領域
１００・・・包装箱
１０１・・・取出部
１０２・・・取出口
１０３・・・切断線（第３切断線の一例）
１１１・・・胴部
１３３・・・表示壁
２００・・・包装箱
２３３・・・表示壁
２６０・・・開口片
２６１・・・開口
２６２・・・周縁
２６２Ａ・・・切断線（第１切断線の一例）
３００・・・包装箱
３３３・・・表示壁
３６０・・・開口片
３６１・・・開口
３６２・・・周縁
３６２Ａ・・・切断線（第１切断線の一例）
３６２Ｂ・・・折り曲げ線
４００・・・包装箱
５００・・・包装箱
【図１】
2020183283.tif 000003
【図２】
2020183283.tif 000004
【図３】
2020183283.tif 000005
【図４】
2020183283.tif 000006
【図５】
2020183283.tif 000007
【図６】
2020183283.tif 000008
【図７】
2020183283.tif 000009
【図８】
2020183283.tif 000010
【図９】
2020183283.tif 000011
【図１０】
2020183283.tif 000012
【図１１】
2020183283.tif 000013
【図１２】
2020183283.tif 000014
【図１３】
2020183283.tif 000015
【図１４】
2020183283.tif 000016
【図１５】
2020183283.tif 000017